(57)【要約】【課題】  使用上の便利さを大幅に向上させることのできるＣＤ収納ケースの改良構造を提供する。【解決手段】  主として、上カバー体、下カバー体及び連結板からなり、前記上、下カバー体の間は、連結板によって相互に嵌合固定され、且つ前記連結板の上に上向きにそれぞれ左、右固定部を備えた固定部品を設け、前記固定部の先端にそれぞれ嵌合体を設け、ＣＤ収納カバーの片側の穴を左、右固定部によって生じた開口から固定部に嵌めて、左、右固定部を内側へ向かって押すと、固定部が先端の嵌合体によって相互に嵌合し、ＣＤ収納カバーを収納する目的を達成できると共に、ＣＤ収納ケースを製造後直ちに包装出荷し、製造コスト及び時間を大幅に引き下げ、且つＣＤ収納ケースの操作を一層便利にする。【選択図】  図２
0003109194.tif 000002
【実用新案登録請求の範囲】
【請求項１】
主として上カバー体、下カバー体及び連結板によって構成され、前記上カバー体及び下カバー体は、連結板によって相互に閉じ合わせて固定することができ、連結板の上には上向きに数個の固定部品を設け、前記固定部品はそれぞれ、左固定部及び右固定部を備え、前記左固定部及び右固定部の先端にそれぞれ、相互に対応した関係を呈する嵌合体を設け、且つ前記左固定部及び右固定部は、相互に嵌合できるようになっていて、
ＣＤ収納カバーの片側にある穴を、前記左固定部及び右固定部の開口から固定部に嵌めた後、固定することによって収納保存できることを特徴とするＣＤ収納ケースの改良構造。
【請求項２】
前記固定部品は二個以上であってもよいことを特徴とする請求項１に記載のＣＤ収納ケースの改良構造。
【請求項３】
前記嵌合体の先端は、斜面のガイドアングルによって嵌合体を簡単に嵌合することができることを特徴とする請求項１に記載のＣＤ収納ケースの改良構造。
【考案の詳細な説明】
【技術分野】
【０００１】
本考案は、ＣＤ収納ケースの改良構造に関するものである。
【背景技術】
【０００２】
各種のデジタル製品が日増しに発達するにしたがって、デジタル・データの保存方式は、現今の最も解決を要す課題となっており、現在最も一般的に使用されている方式はＣＤによって各種のデジタル・データを保存し、且つＣＤ収納ケースによってデータを保存したＣＤを収納し、ＣＤを傷つけることを避けるため、ユーザーはよくＣＤを収納カバーに入れて永く保存できるようにしている。図１は、従来のＣＤ収納ケース１の実施例を示す略図である。主として、上カバー体１０及び下カバー体１１からなり、前記カバー体１０及び下カバー体１１は、連結板１２によって連結され、上下カバー体１０、１１が連結板１２によって相互に閉じ合って固定するようになっており、前記連結板１２には嵌合体１３が連結して設けられ、前記嵌合体１３にはそれぞれ、相互に嵌合できる嵌合穴１３１及び嵌合柱１３２が設けてある。ユーザーが使用する場合は、ＣＤ収納カバー１４の片側の穴を嵌合体１３の嵌合柱１３２の上に嵌め込んだ後、嵌合体１３の嵌合穴１３１及び嵌合柱１３２を相互に嵌合させて固定し、ＣＤ収納カバー１４をＣＤ収納ケース１に固定させることができるようになっている。
【考案の開示】
【考案が解決しようとする課題】
【０００３】
しかし上記ＣＤ収納ケース１は、ＣＤ収納カバーを保存する目的を達成できるが、ＣＤ収納ケース１の箱体及び嵌合体１３は別々に生産されるため、その生産または組み立てに際し、比較的多くの時間及びコストがかかり、有効に競争力を向上させることができず、且つ操作使用するときは、嵌合穴１３１及び嵌合柱１３２を相互に嵌合させなければ順調に使用できず、甚だ不便である。
このように、上記従来の物品には尚幾多の欠点があり、よい設計とは言い難く、改良が待たれていた。
本考案者は、上述従来ＣＤ収納ケースに派生する各項の欠点に鑑み、極力新規改善を試み、且つ多年苦心研鑚の末、ついに本案ＣＤ収納ケース改良構造の研究開発に成功した。
【０００４】
本案の目的は、使用上の便利さを大幅に向上させることのできるＣＤ収納ケースの改良構造を提供することにある。
本案のもう一つの目的は、製造コストを大幅に引き下げることのできるＣＤ収納ケースの改良構造を提供することにある。
本案のもう一つ別の目的は、構造が簡単で、製造が容易なＣＤ収納ケースの改良構造を提供することにある。
本案のさらにもう一つ別の目的は、操作し易さなどの諸長所を備えるＣＤ収納ケースの改良構造を提供することにある。
【課題を解決するための手段】
【０００５】
上述実用新案の目的を達成できるＣＤ収納ケースの改良構造は、主として上カバー体、下カバー体及び連結板によって構成され、前記上カバー体及び下カバー体は、連結板によって相互に閉じ合わせて固定することができ、連結板の上には上向きに数個の固定部品を設け、前記固定部品はそれぞれ、左固定部及び右固定部を備え、前記左固定部及び右固定部の先端にそれぞれ、相互に対応した関係を呈する嵌合体を設け、且つ前記左固定部及び右固定部は、相互に嵌合できるようになっていて、ＣＤ収納カバーの片側にある穴を、前記左固定部及び右固定部の開口から固定部に嵌めた後、固定することによって収納保存できることを特徴とする。
すなわち、ＣＤ収納ケースの改良構造は、主として上カバー体と、下カバー体及び連結板とによって構成され、前記上、下カバー体の間は連結板を相互に嵌合させて固定し、且つ前記連結板はＣＤ収納カバーの穴に対応する個所に、上向きに延伸して固定部品を設け、前記固定部品はそれぞれ左固定部及び右固定部を備え、前記左、右固定部の先端にはそれぞれ嵌合体を設け、且つ相互に対応する関係を呈し、左、右固定部が相互に嵌合できるようになっている。ユーザーが使用するときは、例えば、ＣＤ収納カバーの片側の穴を左、右固定部によって形成された開口から一方の固定部に嵌めた後、左、右固定部を内側へ向かって押し付け、固定部が先端の嵌合体によって相互に嵌合してＣＤ収納カバーを収納する目的を果し、ユーザーがＣＤ収納カバーを取り外すときは、左、右の固定部を外へ向かって相反する方向へ押すと、左、右の固定部に開口が生じ、ＣＤ収納カバーを取り外して使用できる。この方式によって、ＣＤ収納ケースの生産後直ちに包装して出荷することができ、製造コスト及び時間を大幅に引き下げ、且つＣＤ収納ケースの操作を一層便利にすることができる。
【考案の効果】
【０００６】
本考案が提供するＣＤ収納ケースの改良構造は、従来のその他の技術に比べ、更に下記のような長所がある。
１.本考案は、固定部を設けることによって、組み立て及び製造コストを大幅に軽減できる。
２.本考案は、左、右固定部に嵌合体を設けることによって、操作使用を容易にし、その実用性を大幅に向上させることができる。
以上を総合すると、本考案は空間形態上で確かに新規性があるのみならず、従来の物品に比べ、上記多項目にわたる効能を増進しており、実用新案登録請求の法定要件である新規性及び進歩性を十分満たしており、茲に、特許法の規定に従って請求する次第である。
【考案を実施するための最良の形態】
【０００７】
図２は、本案ＣＤ収納ケースの改良構造の構造を示す図である。主として上カバー体２、下カバー体３及び連結板４によって構成され、且つ片側に穴をあけたＣＤ収納カバーを嵌めて使用する。前記上、下カバー体２、３の間は、連結板４によって相互に閉じ合わせて固定でき、且つ前記連結板４は、ＣＤ収納カバーの穴に対応する個所に、上向きに二つ以上のほぼ∩形を呈した固定部品５が設けられ、前記固定部品５にはそれぞれ、適当な弾力性を備えた左固定部５１及び右固定部５２を含み、且つ前記左、右固定部５１、５２の先端にはそれぞれ、対応関係を呈する嵌合体５１１、５２１を設け、前記嵌合体５１１、５２１の先端には斜面のガイドアングルが形成され、これによって、左、右固定部５１、５２の嵌合体５１１、５２１が、前記斜面のガイドアングルによって容易に相互嵌合できる。
【０００８】
図３〜図５は、本案ＣＤ収納ケースの改良構造の実施例を示す図である。ユーザーが操作使用するときは、まず、左、右固定部５１、５２の縦軸部分を相反する方向へ押す。すると、左、右固定部５１、５２は、それ自体の弾力性の影響で開口５３を形成する。そして、ＣＤ収納カバー６の片側の穴６１を、左、右固定部５１、５２によって生じた開口５３を通して固定部５１或いは５２に嵌める。次に、左、右固定部５１、５２を内側に向かって押すと、左、右固定部５１、５２が、先端の嵌合体５１１、５２１の斜面ガイドアングルによって相互に嵌合してＣＤ収納カバー６の嵌め込みを完成する。これにより、ＣＤ収納カバー６を収納する目的を達成し、且つＣＤを大切に保存でき、携帯にも便利である。
【０００９】
以上を総合すると、本考案に係るＣＤ収納ケースは、製造後直ちに包装して出荷し、製造コスト及び時間を大幅に引き下げ、且つＣＤ収納ケースの操作を一層便利にすることができる。
【００１０】
上記詳細な説明は本考案の実施可能な一実施例の具体的説明である。ただし、この実施例は本考案の特許請求の範囲を制限するものではなく、凡そ本考案の技芸精神を逸脱せずなされた同等効果又は変更は、すべて本考案の特許請求範囲に含まれるものとする。
【図面の簡単な説明】
【００１１】
【図１】従来のＣＤ収納ケース実施例を示す図である。
【図２】本考案に係るＣＤ収納ケース改良構造の構造を示す図である。
【図３】本考案に係るＣＤ収納ケース改良構造の作動を示す図である。
【図４】本考案に係るＣＤ収納ケース改良構造の実施例を示す図である。
【図５】本考案に係るＣＤ収納ケース改良構造の実施例を示す完成図である。
【符号の説明】
【００１２】
１０    上カバー体
１１    下カバー体
１２    連結板
１３    嵌合体
１３１    嵌合孔
１３２    嵌合柱
１４    ＣＤ収納カバー
２    上カバー体
３    下カバー体
４    連結板
５    固定部品
５１    左固定部
５２    右固定部
５３    開口
６    ＣＤ収納カバー
６１    片側の穴
【図１】
0003109194.tif 000003
【図２】
0003109194.tif 000004
【図３】
0003109194.tif 000005
【図４】
0003109194.tif 000006
【図５】
0003109194.tif 000007